(57)【要約】【課題】簡単な処理で低解像度用の画像の第１の編集データと高解像度用の第２の編集データとを識別でき、かつ、それらの関係を明確化できるデータ処理方法を提供する。【解決手段】編集装置６は、イメージデータＬ＿ＩＭを基に編集を行い、その内容を示す編集リストＬ＿ＥＤＬを生成し、これを映像記録装置３に送信する。編集リストＬ＿ＥＤＬには、ＵＭＩＤのインスタンス番号ＩＮ＿Ｎとして、”ＦＦ  ＦＦ  ＦＦ”が格納される。映像記録装置３は、編集リストＬ＿ＥＤＬのＵＭＩＤ内のインスタンス番号ＩＮ＿Ｎを、”ＦＦ  ＦＦ  ＦＦ”から”００００  ００”に書き換えて編集リストＨ＿ＥＤＬを生成する。【選択図】  図１
2004312233.tif 000002
【特許請求の範囲】
【請求項１】
所定の画像コンテンツに対しての第１の解像度の第１のコンテンツデータと、前記所定の画像コンテンツに対しての前記第１の解像度に比べて高い第２の解像度の第２のコンテンツデータとに関する編集内容を示す編集データを生成するデータ処理方法であって、
前記第１のコンテンツデータを基に行われた編集内容を示す所定のデータと、前記第１のコンテンツデータおよび前記第２のコンテンツデータに共通に割り当てられた識別する識別データと、前記識別データが第１の解像度のコンテンツデータへの参照であることを示す特性データとを含む第１の編集データを生成する第１の工程と、
前記第１の工程で生成した前記第１の編集データの前記特性データを、前記第２の解像度のコンテンツデータへの参照であることを示す特性データに書き換えて、前記第２のコンテンツデータに関する第２の編集データを生成する第２の工程とを有するデータ処理方法。
【請求項２】
前記特性データに対応する前記識別データが新たに生成されたものであることを示す第１の値と、当該特性データに対応する前記識別データが他のデータの前記識別データを継承したものであることを示す第２の値との何れかを前記特性データが示すことが規定され、前記第２のコンテンツデータに対して新たに生成された前記識別データを前記第１のコンテンツデータが継承している場合に、
前記第１の工程は、前記第２の値を示す前記特性データを含む前記第１の編集データを生成し、
前記第２の工程は、前記第１の編集データ内の前記特性データが示す前記第２の値を前記第１の値に書き換えて前記第２の編集データを生成する請求項１に記載のデータ処理方法。
【請求項３】
前記第２の工程で生成した前記第２の編集データを、前記第２のコンテンツデータと関連付けて、記録媒体に記録、あるいは送信する請求項１に記載のデータ処理方法。
【請求項４】
所定の画像コンテンツに対しての第１の解像度の第１のコンテンツデータと、前記所定の画像コンテンツに対しての前記第１の解像度に比べて高い第２の解像度の第２のコンテンツデータとに関する編集内容を示す編集データを生成するデータ処理方法であって、
前記第１のコンテンツデータを基に行われた編集内容を示す所定のデータと、前記第１のコンテンツデータおよび前記第２のコンテンツデータに共通に割り当てられた識別する識別データと、前記識別データが第１の解像度のコンテンツデータへの参照であることを示す特性データとを含む第１の編集データを受信する第１の工程と、
前記第１の工程で受信した前記第１の編集データの前記特性データを、前記第２の解像度のコンテンツデータへの参照であることを示す特性データに書き換えて、前記第２のコンテンツデータに関する第２の編集データを生成する第２の工程とを有するデータ処理方法。
【請求項５】
所定の画像コンテンツに対しての第１の解像度の第１のコンテンツデータと、前記所定の画像コンテンツに対しての前記第１の解像度に比べて高い第２の解像度の第２のコンテンツデータとに関する編集内容を示す編集データを生成するデータ処理装置であって、
前記第１のコンテンツデータを基に行われた編集内容を示す所定のデータと、前記第１のコンテンツデータおよび前記第２のコンテンツデータに共通に割り当てられた識別する識別データと、前記識別データが第１の解像度のコンテンツデータへの参照であることを示す特性データとを含む第１の編集データを受信する受信手段と、
前記受信手段が受信した前記第１の編集データの前記特性データを、前記第２の解像度のコンテンツデータへの参照であることを示す特性データに書き換えて、前記第２のコンテンツデータに関する第２の編集データを生成する制御手段と
を有するデータ処理装置。
【請求項６】
所定の画像コンテンツに対しての第１の解像度の第１のコンテンツデータを基に得られた第１の編集データを用いて、前記所定の画像コンテンツに対しての前記第１の解像度に比べて高い第２の解像度の第２のコンテンツデータに関する第２の編集データを生成する映像記録装置であって、
前記第１のコンテンツデータおよび前記第２のコンテンツデータを生成し、前記第１のコンテンツデータおよび前記第２のコンテンツデータに共通の識別データを割り当てる生成手段と、
前記生成手段が生成した前記第１のコンテンツデータを送信する送信手段と、前記送信手段による前記第１のコンテンツデータの送信先で当該第１のコンテンツデータを基に行われた編集内容を示す所定のデータと、前記識別データと、前記識別データが第１の解像度のコンテンツデータへの参照であることを示す特性データとを含む第１の編集データを受信する受信手段と、
前記受信手段が受信した前記第１の編集データの前記特性データを、前記第２の解像度のコンテンツデータへの参照であることを示す特性データに書き換えて、前記第２のコンテンツデータに関する第２の編集データを生成し、当該第２の編集データを前記生成手段が生成した前記第２のコンテンツデータと関連付けて、記録媒体に記録、あるいは送信する制御手段とを有する映像記録装置。
【発明の詳細な説明】
【０００１】
【発明の属する技術分野】
本発明は、コンテンツデータの編集データを生成するデータ処理方法およびその装置と、映像記録装置に関する。
【０００２】
【従来の技術】
取材現場などでは、映像記録装置が、取得した映像や音声のコンテンツデータを所定の圧縮率で圧縮した第１のコンテンツデータ（ローレゾ）と、上記コンテンツデータを上記所定の圧縮率より低い圧縮率で圧縮したコンテンツデータ（ハイレゾ）とを生成し、上記第１のコンテンツデータを、例えば、遠隔の編集装置に送信する。
そして、編集装置において、第１のコンテンツデータを基に、編集を行い、その編集内容を示す編集リスト（ＥＤＬ：Ｅｄｉｔ  Ｄｅｃｉｓｉｏｎ  Ｌｉｓｔ）を生成する。
そして、編集装置が、上記編集リストを上記映像記録装置に送信する。
映像記録装置は、受信した編集リストを、上記第２のコンテンツデータに対応付けて光ディスクなどの記録媒体に記録する。
従来では、上記編集リストの管理を、例えば、その保存位置の階層構造に応じたファイルパスを指定したファイル名を基に行っている。当該ファイル名は、上記編集リストの管理体系においてユニークである必要がある。
【０００３】
【特許文献１】
国際公開第０１／６００６２号パンフレット
【０００４】
【発明が解決しようとする課題】
しかしながら、上述した従来の編集リストの管理方法では、例えば、上述したように、第１のコンテンツデータについて生成した編集リストを第２のコンテンツデータについての編集リストとして使用する場合に、上記管理体系において、第１のコンテンツデータの編集リストと第２のコンテンツデータの編集リストとが同じ名前であり、その名前を基に識別を行うため、これらを適切に識別できないという問題がある。
また、上述した編集リストの保存場所が変わった場合に、当該編集リストへのファイルパスも変わるため、名前解決処理が複雑になるという問題もある。
また、上述した従来の編集リストの管理方法では、第１のコンテンツデータの編集リストと第２のコンテンツデータの編集リストとを識別できない他、それらの間の関係を示すことができないという問題がある。
【０００５】
本発明はかかる事情に鑑みてなされたものであり、その目的は、第１の解像度の第１のコンテンツデータを基に行われた編集によって生成された第１の編集データを基に、前記第１の解像度に比べて高い第２の解像度の第２のコンテンツデータの第２の編集データを生成する場合に、簡単な処理で前記第１の編集データと前記第２の編集データとを識別でき、かつ、それらの関係を明確化できるデータ処理方法およびその装置と映像記録装置を提供することを目的とする。
【０００６】
【課題を解決するための手段】
上記の目的を達成するため、第１の発明のデータ処理方法は、所定の画像コンテンツに対しての第１の解像度の第１のコンテンツデータと、前記所定の画像コンテンツに対しての前記第１の解像度に比べて高い第２の解像度の第２のコンテンツデータとに関する編集内容を示す編集データを生成するデータ処理方法であって、前記第１のコンテンツデータを基に行われた編集内容を示す所定のデータと、前記第１のコンテンツデータおよび前記第２のコンテンツデータに共通に割り当てられた識別する識別データと、前記識別データが第１の解像度のコンテンツデータへの参照であることを示す特性データとを含む第１の編集データを生成する第１の工程と、前記第１の工程で生成した前記第１の編集データの前記特性データを、前記第２の解像度のコンテンツデータへの参照であることを示す特性データに書き換えて、前記第２のコンテンツデータに関する第２の編集データを生成する第２の工程とを有する。
【０００７】
第１の発明のデータ処理方法の作用は以下のようになる。
先ず、第１の工程において、前記第１のコンテンツデータを基に行われた編集内容を示す所定のデータと、前記第１のコンテンツデータおよび前記第２のコンテンツデータに共通に割り当てられた識別する識別データと、前記識別データが第１の解像度のコンテンツデータへの参照であることを示す特性データとを含む第１の編集データを生成する。
次に、第２の工程において、前記第１の工程で生成した前記第１の編集データの前記特性データを、前記第２の解像度のコンテンツデータへの参照であることを示す特性データに書き換えて、前記第２のコンテンツデータに関する第２の編集データを生成する。
【０００８】
第２の発明のデータ処理方法は、所定の画像コンテンツに対しての第１の解像度の第１のコンテンツデータと、前記所定の画像コンテンツに対しての前記第１の解像度に比べて高い第２の解像度の第２のコンテンツデータとに関する編集内容を示す編集データを生成するデータ処理方法であって、前記第１のコンテンツデータを基に行われた編集内容を示す所定のデータと、前記第１のコンテンツデータおよび前記第２のコンテンツデータに共通に割り当てられた識別する識別データと、前記識別データが第１の解像度のコンテンツデータへの参照であることを示す特性データとを含む第１の編集データを受信する第１の工程と、前記第１の工程で受信した前記第１の編集データの前記特性データを、前記第２の解像度のコンテンツデータへの参照であることを示す特性データに書き換えて、前記第２のコンテンツデータに関する第２の編集データを生成する第２の工程とを有する。
【０００９】
第２の発明のデータ処理方法の作用は以下のようになる。
先ず、第１の工程において、前記第１のコンテンツデータを基に行われた編集内容を示す所定のデータと、前記第１のコンテンツデータおよび前記第２のコンテンツデータに共通に割り当てられた識別する識別データと、前記識別データが第１の解像度のコンテンツデータへの参照であることを示す特性データとを含む第１の編集データを受信する。
次に、第２の工程において、前記第１の工程で受信した前記第１の編集データの前記特性データを、前記第２の解像度のコンテンツデータへの参照であることを示す特性データに書き換えて、前記第２のコンテンツデータに関する第２の編集データを生成する。
【００１０】
第３の発明のデータ処理装置は、所定の画像コンテンツに対しての第１の解像度の第１のコンテンツデータと、前記所定の画像コンテンツに対しての前記第１の解像度に比べて高い第２の解像度の第２のコンテンツデータとに関する編集内容を示す編集データを生成するデータ処理装置であって、前記第１のコンテンツデータを基に行われた編集内容を示す所定のデータと、前記第１のコンテンツデータおよび前記第２のコンテンツデータに共通に割り当てられた識別する識別データと、前記識別データが第１の解像度のコンテンツデータへの参照であることを示す特性データとを含む第１の編集データを受信する受信手段と、前記受信手段が受信した前記第１の編集データの前記特性データを、前記第２の解像度のコンテンツデータへの参照であることを示す特性データに書き換えて、前記第２のコンテンツデータに関する第２の編集データを生成する制御手段とを有する。
【００１１】
第３の発明のデータ処理装置の作用は以下のようになる。
先ず、受信手段が、前記第１のコンテンツデータを基に行われた編集内容を示す所定のデータと、前記第１のコンテンツデータおよび前記第２のコンテンツデータに共通に割り当てられた識別する識別データと、前記識別データが第１の解像度のコンテンツデータへの参照であることを示す特性データとを含む第１の編集データを受信する。
次に、制御手段が、前記受信手段が受信した前記第１の編集データの前記特性データを、前記第２の解像度のコンテンツデータへの参照であることを示す特性データに書き換えて、前記第２のコンテンツデータに関する第２の編集データを生成する。
【００１２】
第４の発明の映像記録装置は、所定の画像コンテンツに対しての第１の解像度の第１のコンテンツデータを基に得られた第１の編集データを用いて、前記所定の画像コンテンツに対しての前記第１の解像度に比べて高い第２の解像度の第２のコンテンツデータに関する第２の編集データを生成する映像記録装置であって、前記第１のコンテンツデータおよび前記第２のコンテンツデータを生成し、前記第１のコンテンツデータおよび前記第２のコンテンツデータに共通の識別データを割り当てる生成手段と、前記生成手段が生成した前記第１のコンテンツデータを送信する送信手段と、前記送信手段による前記第１のコンテンツデータの送信先で当該第１のコンテンツデータを基に行われた編集内容を示す所定のデータと、前記識別データと、前記識別データが第１の解像度のコンテンツデータへの参照であることを示す特性データとを含む第１の編集データを受信する受信手段と、前記受信手段が受信した前記第１の編集データの前記特性データを、前記第２の解像度のコンテンツデータへの参照であることを示す特性データに書き換えて、前記第２のコンテンツデータに関する第２の編集データを生成し、当該第２の編集データを前記生成手段が生成した前記第２のコンテンツデータと関連付けて、記録媒体に記録、あるいは送信する制御手段とを有する。
【００１３】
第４の発明の映像記録装置の作用は以下のようになる。
先ず、生成手段が、前記第１のコンテンツデータおよび前記第２のコンテンツデータを生成し、前記第１のコンテンツデータおよび前記第２のコンテンツデータに共通の識別データを割り当てる。
次に、受信手段が、前記生成手段が生成した前記第１のコンテンツデータを送信する送信手段と、前記送信手段による前記第１のコンテンツデータの送信先で当該第１のコンテンツデータを基に行われた編集内容を示す所定のデータと、前記識別データと、前記識別データが第１の解像度のコンテンツデータへの参照であることを示す特性データとを含む第１の編集データを受信する。
次に、制御手段が、前記受信手段が受信した前記第１の編集データの前記特性データを、前記第２の解像度のコンテンツデータへの参照であることを示す特性データに書き換えて、前記第２のコンテンツデータに関する第２の編集データを生成し、当該第２の編集データを前記生成手段が生成した前記第２のコンテンツデータと関連付けて、記録媒体に記録、あるいは送信する。
【００１４】
【発明の実施の形態】
以下、本発明の実施形態に係わる編集システムについて説明する。
図１は、本発明の実施形態に係わる編集システム１の構成図である。
図１に示すように、編集システム１は、例えば、カメラである映像記録装置３と編集装置６とを有し、これらが通信衛星４およびアンテナ５を介して通信を行う。
ここで、映像記録装置３が第４の発明の映像記録装置に対応している。
【００１５】
映像記録装置３は、例えば、取材現場などにあり、取材対象から取得したイメージデータ（本発明の所定の画像コンテンツ）について、高解像度のイメージデータＨ＿ＩＭ（本発明の第２の解像度の第２のコンテンツデータ）と低解像度のイメージデータＬ＿ＩＭ（本発明の第１の解像度の第１のコンテンツデータ）とを生成する。
そして、映像記録装置３は、低解像度のイメージデータＬ＿ＩＭをＦＴＰ（Ｆｉｌｅ  Ｔｒａｎｓｆｅｒ  Ｐｒｏｔｏｃｏｌ）などを用いて編集装置６に送信する。
編集装置６は、イメージデータＬ＿ＩＭを基に編集を行い、その内容を示す編集リストＬ＿ＥＤＬ（本発明の第１の編集データ）を生成し、これをＦＴＰで映像記録装置３に送信する。
編集リストＬ＿ＥＤＬには、イメージデータＬ＿ＩＭへの参照を示すためのデータＵＭＩＤ（Ｕｎｉｑｕｅ  Ｍａｔｅｒｉａｌ  Ｉｄｅｎｔｉｆｉｅｒ）を含むが、そのインスタンス番号ＩＮ＿Ｎ（本発明の特性データ）として、例えば”ＦＦ  ＦＦ  ＦＦ”（本発明の第２の値）が格納される。
データＵＭＩＤは、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ
Ｅｎｇｉｎｅｅｒｓ）で規格化されており、”ＦＦ  ＦＦ  ＦＦ”は、当該インスタンス番号ＩＮ＿Ｎに続く素材番号ＭＡＴ＿Ｎ（本発明の識別データ）が他の素材が持つデータＵＭＩＤの素材番号ＭＡＴ＿Ｎをそのまま継承していることを意味している。
【００１６】
映像記録装置３は、編集装置６から受信した上記編集リストＬ＿ＥＤＬのデータＵＭＩＤ内のインスタンス番号ＩＮ＿Ｎを、”ＦＦ  ＦＦ  ＦＦ”から”００００  ００”（本発明の第１の値）に書き換えて編集リストＨ＿ＥＤＬ（本発明の第２の編集データ）を生成する。
”００  ００  ００”は、ＳＭＰＴＥにより、当該インスタンス番号ＩＮ＿Ｎに続く素材番号ＭＡＴ＿Ｎが新規生成されたもの、つまりそれがイメージデータＨ＿ＩＭに対する参照であることを意味している。
そして、映像記録装置３は、上記生成した編集リストＨ＿ＥＤＬを高解像度のイメージデータＨ＿ＩＭと対応付けて光ディスクなどの記録媒体に記録する。
【００１７】
以下、図１に示す映像記録装置３および編集装置６の構成を詳細に説明する。
〔映像記録装置３〕
図２は、図１に示す映像記録装置３の機能ブロック図である。
図２に示すように、映像記録装置３は、例えば、撮像部１１、エンコーダ１２、エンコーダ１３、制御部１４、アクセス部１５、バッファ１７、送受信部１８およびアンテナ１９を有する。
ここで、撮像部１１およびエンコーダ１２，１３が、第４の発明の生成手段に対応している。
また、送受信部１８が、第３の発明の受信手段、並びに第４の発明の送信手段および受信手段に対応している。
また、制御部１４が第３および第４の発明の制御手段に対応している。
【００１８】
撮像部１１は、例えば、取材対象を撮像してイメージデータＩＭを生成し、これをエンコーダ１２およびエンコーダ１３に出力する。
エンコーダ１２は、撮像部１１から入力したイメージデータＩＭを圧縮して、例えば、放送に使用可能な程度に高い解像度（Ｈｉｇｈ  Ｒｅｓｏｌｕｔｉｏｎ：ハイレゾ）  のイメージデータＨ＿ＩＭを生成する。
エンコーダ１３は、撮像部１１から入力したイメージデータＩＭを圧縮して、例えば、放送に使用されない程度に低く編集には十分な解像度（Ｌｏｗ  Ｒｅｓｏｌｕｔｉｏｎ：  ローレゾ）  のイメージデータＬ＿ＩＭを生成する。
これらのイメージデータＨ＿ＩＭとＬ＿ＩＭは、解像度は異なるが、フレーム単位で同一内容なるように生成される。あるタイムコードあるいはフレーム番号に対応するそれぞれのイメージデータにおけるフレームは同一フレームである。従って、イメージデータＬ＿ＩＭに基づいて作成されたＥＤＬによって、高い解像度（Ｈｉｇｈ  Ｒｅｓｏｌｕｔｉｏｎ：ハイレゾ）  のイメージデータＨ＿ＩＭを編集することで所望の結果が得られる。
【００１９】
制御部１４は、エンコーダ１３が生成した低解像度のイメージデータＬ＿ＩＭを、バッファ１７を介してアンテナ１９から、編集装置６に向けて送信する。
また、制御部１４は、上記イメージデータＨ＿ＩＭおよびＬ＿ＩＭをアクセス部１５を介して記録媒体１６に書き込む。
制御部１４は、編集装置６がイメージデータＬ＿ＩＭを基に生成された編集リストＬ＿ＥＤＬを、アンテナ１９、送受信部１８およびバッファ１７を介して入力すると、編集リストＬ＿ＥＤＬ内のデータＵＭＩＤ内のインスタンス番号ＩＮ＿Ｎを、”ＦＦ  ＦＦ  ＦＦ”から”００  ００  ００”に書き換えて編集リストＨ＿ＥＤＬを生成する。
制御部１４は、上記生成した編集リストＨ＿ＥＤＬを高解像度のイメージデータＨ＿ＩＭと対応付けて光ディスクなどの記録媒体に記録する。
【００２０】
アクセス部１５は、制御部１４から入力したデータを記録媒体１６に書き込む。
記録媒体１６は、例えば、映像記録装置３から取り外し可能で可搬性の記録媒体であり、例えば、光ディスクである。
バッファ１７は、制御部１４から入力したデータを一時的に記憶する。
送受信部１８は、アンテナ１９、図１に示す通信衛星４およびアンテナ５を介して、編集装置６との間でデータの送受信を行う。
【００２１】
〔編集装置６〕
編集装置６は、アンテナ５が受信した映像記録装置３からの低解像度のイメージデータＬ＿ＩＭを基に編集を行い、その内容を示す編集リストＬ＿ＥＤＬを生成する。
当該編集では、イメージデータを所定の放送時間内に収めるようにしたり、各種エフェクトを挿入したり、スクリプトなどの付随したテキストデータを埋め込んだり、シーン切り換えのための画像を挿入したりなどの処理（操作）を行う。
このとき、編集装置６は、編集リストＬ＿ＥＤＬ内のデータＵＭＩＤのインスタンス番号ＩＮ＿Ｎとして”ＦＦ  ＦＦ  ＦＦ”を格納する。
編集装置６は、上記生成した編集リストＬ＿ＥＤＬをＦＴＰなどで映像記録装置３に送信する。
【００２２】
〔編集リストＬ＿ＥＤＬ，Ｈ＿ＥＤＬ〕
図３は、編集リストＬ＿ＥＤＬ，Ｈ＿ＥＤＬのフォーマットの一例である。
図３に示すように、編集リストＬ＿ＥＤＬ，Ｈ＿ＥＤＬは、プリアンブルＰＲＡおよびメタデータＭＥＴＡからなるヘッダデータと、編集内容を示すデータ（本発明の所定のデータ）を格納したボディデータとで構成される。
【００２３】
メタデータＭＥＴＡは、例えば、３２バイトのデータＵＭＩＤを有する。
データＵＭＩＤは、ＳＭＰＴＥ規格に基づいて、ユニバーサル・ラベルＵＬ、データ長Ｌ、インスタンス番号ＩＮ＿Ｎおよび素材番号ＭＡＴ＿Ｎを有する。
ユニバーサル・ラベルＵＬは、そのバイト列がＵＭＩＤであることを示す固有識別子である。
データ長は、ユニバーサル・ラベルＵＬに続く１バイトで、それに続くデータ長をバイト単位で示している。
インスタンス番号ＩＮ＿Ｎは、例えば、３バイトである。
インスタンス番号ＩＮ＿Ｎは、図４に示すように、”００  ００  ００”である場合に、ＳＭＰＴＥによれば、当該インスタンス番号ＩＮ＿Ｎに続く素材番号ＭＡＴ＿Ｎが新規生成されたものであることを意味する。
また、インスタンス番号ＩＮ＿Ｎは、図４に示すように、”００  ００  ００”以外である場合に、ＳＭＰＴＥによれば、当該インスタンス番号ＩＮ＿Ｎに続く素材番号ＭＡＴ＿Ｎが他の素材が持つデータＵＭＩＤの素材番号ＭＡＴ＿Ｎをそのまま継承していることを意味する。
【００２４】
素材番号ＭＡＴ＿Ｎは、例えば、１６バイトであり、グローバル・ユニークな値を取る。本実施形態では、素材とは、イメージデータＬ＿ＩＭおよびＨ＿ＩＭのことであり、データＵＭＩＤをそれらの固有識別子として用いている。
素材番号ＭＡＴ＿Ｎは、例えば、任意のネットワーク機器（例えば、図１に示す映像記録装置３および編集装置６）が、ＭＡＣ（Ｍｅｄｉａ  Ａｃｃｅｓｓ  Ｃｏｎｔｒｏｌ）アドレスによって、グローバル・ユニークに識別されることから、ある時刻において生成される素材（ＡＶ素材）は高々一つに過ぎないことを前提として、ＭＡＣアドレスと、素材が生成された時刻とを組み合わせて生成される。
当該素材番号ＭＡＴ＿Ｎの生成および割り当ては、本実施形態では、例えば、イメージデータＨ＿ＩＭが生成された際に、制御手段１４あるいは図示しない生成手段が行う。また、制御手段１４あるいは上記生成手段は、イメージデータＨ＿ＩＭに生成および割り当てを行った、素材番号ＭＡＴ＿Ｎを、イメージデータＬ＿ＩＭにも割り当てる。
【００２５】
本実施形態において、編集リストＬ＿ＥＤＬとＨ＿ＥＤＬとは、図３に示すユニバーサル・ラベルＵＬ、データ長Ｌおよび素材番号ＭＡＴ＿Ｎが全て同じで、インスタンス番号ＩＮ＿Ｎのみが異なる。
具体的には、編集リストＬ＿ＥＤＬのインスタンス番号ＩＮ＿Ｎは”ＦＦ  ＦＦ  ＦＦ”であり、編集リストＨ＿ＥＤＬのインスタンス番号ＩＮ＿Ｎ”００
００  ００”である。
【００２６】
以下、本実施形態の編集システム１の動作例を説明する。
図５は、当該動作例を説明するためのフローチャートである。
以下、図５に示す各ステップについて説明する。
ステップＳＴ１：
図２に示す映像記録装置３の撮像部１１は、取材対象から取得したイメージデータＩＭを生成する。
そして、エンコーダ１２が、イメージデータＩＭを圧縮して高解像度のイメージデータＨ＿ＩＭを生成する。
また、エンコーダ１３が、イメージデータＩＭを圧縮して低解像度のイメージデータＬ＿ＩＭを生成する。
【００２７】
ステップＳＴ２：
制御部１４は、ステップＳＴ１で生成されたイメージデータＨ＿ＩＭおよびＬ＿ＩＭをアクセス部１５に出力する。
アクセス部１５は、イメージデータＨ＿ＩＭおよびＬ＿ＩＭを記録媒体１６に書き込む。
ステップＳＴ３：
制御部１４は、ステップＳＴ１で生成された低解像度のイメージデータＬ＿ＩＭを、バッファ１７、送受信部１８およびアンテナ１９を介して、編集装置６に送信する。
編集装置６は、映像記録装置３からのイメージデータＬ＿ＩＭを受信する。
【００２８】
ステップＳＴ４：
編集装置６は、ステップＳＴ３で受信したイメージデータＬ＿ＩＭを基に編集を行い、その内容を示す編集リストＬ＿ＥＤＬを生成する。
このとき、編集装置６は、編集リストＬ＿ＥＤＬ内のデータＵＭＩＤのインスタンス番号ＩＮ＿Ｎとして、”ＦＦ  ＦＦ  ＦＦ”を格納する。
ステップＳＴ５：
編集装置６は、ステップＳＴ４で生成した編集リストＬ＿ＥＤＬを、アンテナ５および通信衛星４を介して映像記録装置３に送信する。
映像記録装置３は、編集装置６からの編集リストＬ＿ＥＤＬを図２に示すアンテナ１９で受信し、送受信部１８およびバッファ１７を介して制御部１４に出力する。
【００２９】
ステップＳＴ６：
映像記録装置３の制御部１４は、ステップＳＴ５で入力した編集リストＬ＿ＥＤＬのデータＵＭＩＤ内のインスタンス番号ＩＮ＿Ｎを、”ＦＦ  ＦＦ  ＦＦ”から”００  ００  ００”に書き換えて編集リストＨ＿ＥＤＬを生成する。
ステップＳＴ７：
映像記録装置３の制御部１４は、ステップＳＴ６で生成した編集リストＨ＿ＥＤＬを高解像度のイメージデータＨ＿ＩＭと対応付けて光ディスクなどの記録媒体に記録する。
なお、制御部１４は、ステップＳＴ６で生成した編集リストＨ＿ＥＤＬと高解像度のイメージデータＨ＿ＩＭと対応付けて所定の送信先に送信してもよい。
【００３０】
上述した実施形態では、映像記録装置３についてのイメージデータＩＭについての処理のみを例示したが、映像記録装置３は取材場所からの音声などを基にオーディオデータを生成し、これを記録媒体１６に書き込む。
また、上記オーディオデータについて、上述したイメージデータＩＭと同様の処理を行ってもよい。
【００３１】
以上説明したように、編集システム１では、編集装置６において生成する編集リストＬ＿ＥＤＬ内のデータＵＭＩＤのインスタンス番号ＩＮ＿Ｎとして、当該インスタンス番号ＩＮ＿Ｎに続く素材番号ＭＡＴ＿Ｎが他の素材が持つデータＵＭＩＤの素材番号ＭＡＴ＿Ｎをそのまま継承していることを意味する”ＦＦ  ＦＦ  ＦＦ”を設定する。
また、映像記録装置３において、編集リストＬ＿ＥＤＬのデータＵＭＩＤ内のインスタンス番号ＩＮ＿Ｎを、”ＦＦ  ＦＦＦＦ”から、当該インスタンス番号ＩＮ＿Ｎに続く素材番号ＭＡＴ＿Ｎが新規生成されたものであることを意味する”００  ００  ００”に書き換えて編集リストＨ＿ＥＤＬを生成する。
そのため、編集システム１によれば、編集リストＬ＿ＥＤＬおよびＨ＿ＥＤＬのインスタンス番号ＩＮ＿Ｎを基に、各編集リストがイメージデータＬ＿ＩＭ（ローレゾ）およびイメージデータＨ＿ＩＭ（ハイレゾ）のいずれのものであるかを適切に識別できる。すなわち、インスタンス番号ＩＮ＿Ｎが”ＦＦ  ＦＦ  ＦＦ”であれば編集リストＬ＿ＥＤＬであり、インスタンス番号ＩＮ＿Ｎが”００００  ００”であれば編集リストＨ＿ＥＤＬ”である。
【００３２】
また、編集システム１によれば、編集リストＬ＿ＥＤＬのインスタンス番号ＩＮ＿Ｎを基に、当該編集リストＬ＿ＥＤＬに対応するイメージデータＬ＿ＩＭには、それに対応する高解像度のイメージデータＨ＿ＩＭが存在し、その編集リストＨ＿ＥＤは、編集リストＬ＿ＥＤＬのインスタンス番号ＩＮ＿Ｎを”００  ００  ００”にしたものであることを容易に把握できる。
また、編集リストＨ＿ＥＤＬのインスタンス番号ＩＮ＿Ｎを”００  ００  ００”にすることで、高解像度のイメージデータＨ＿ＩＭに対応付けられた編集リストＨ＿ＥＤＬを親とし、低解像度のイメージデータＬ＿ＩＭに対応付けられた編集リストＬ＿ＥＤＬを子とすることができる。
【００３３】
また、編集システム１によれば、ファイルパスを指定した名前解決を行わないため、従来に比べて簡単な処理で、編集リストＨ＿ＥＤＬとＬ＿ＥＤＬとを識別できる。特に、編集リストＨ＿ＥＤＬとＬ＿ＥＤＬの保存場所が変わる場合に効果的である。
【００３４】
本発明は上述した実施形態には限定されない。
例えば、上述した実施形態では、編集リストＬ＿ＥＤＬのインスタンス番号ＩＮ＿Ｎとして”ＦＦ  ＦＦ  ＦＦ”を設定する場合を例示したが、ＳＭＰＴＥにより、当該インスタンス番号ＩＮ＿Ｎは”００  ００  ００”以外であれば任意である。
【００３５】
また、上述した実施形態では、本発明のファイルデータとして、図３などを用いて説明したＭＸＦのファイルデータＦＩＬＥ＿１〜ＦＬＩＥ＿Ｎを例示したが、本発明のファイルデータは、コンテンツデータと前記コンテンツデータの属性を示す属性データとを含むものであれば特に限定されない。
また、上述した実施形態では、本発明の識別データと特性データとして、ＳＭＰＴＥで規定されたＵＭＩＤの素材番号ＭＡＴ＿Ｎおよびインスタンス番号ＩＮ＿Ｎを例示したが、本発明の識別データはコンテンツデータを基に行われた編集内容を示す所定のデータを識別するものであれば特に限定されず、本発明の特性データも上記識別データが第１の解像度および第２の解像度のコンテンツデータのいずれに関するものであるかを示すものであれば特に限定されない。
【００３６】
【発明の効果】
以上説明したように、本発明によれば、第１の解像度の第１のコンテンツデータを基に行われた編集によって生成された第１の編集データを基に、前記第１の解像度に比べて高い第２の解像度の第２のコンテンツデータの第２の編集データを生成する場合に、前記第１の編集データと前記第２の編集データとを簡単な処理で識別でき、かつ、それらの関係を明確化できるデータ処理方法およびその装置と映像記録装置を提供することができる。
【図面の簡単な説明】
【図１】図１は、本発明の実施形態に係わる編集システムの構成図である。
【図２】図２は、図１に示す映像記録装置の機能ブロック図である。
【図３】図３は、本発明の実施形態の編集リストのフォーマットを説明するための図である。
【図４】図４は、図３に示すインスタンス番号ＩＮ＿Ｎが示す意味を説明するための図である。
【図５】図５は、図１に示す編集システムの動作例を説明するための図である。
【符号の説明】
１…編集システム、３…映像記録装置、４…通信衛星、５…アンテナ、６…編集装置、１１…撮像部、１２…エンコーダ、１３…エンコーダ、１４…制御部、１５…アクセス部、１６…記録媒体、１７…バッファ、１８…送受信部、１９…アンテナ
【図１】
2004312233.tif 000003
【図２】
2004312233.tif 000004
【図３】
2004312233.tif 000005
【図４】
2004312233.tif 000006
【図５】
2004312233.tif 000007